(57)【要約】【課題】電力系統分散監視制御システムにおいて、複数件名のメンテナンス設備データを時系列に依存せず作成可能で、且つ、少ないメモリ容量で効率良く件名管理することにある。【解決手段】オンライン用設備ＤＢ１０１，２０１を備えた主計算機Ａ，Ｂと、このオンライン用設備ＤＢをメンテナンスするためのメンテナンス用設備ＤＢ４０２を備えたメンテナンス計算機Ｄと、オンライン用設備ＤＢ４０１と、オンライン用設備ＤＢの模擬試験計算機Ｃとを備え、メンテナンス用設備ＤＢには、現在運用中のマスターデータとメンテナンスの単位である各件名間での変更分の差分データに分けて保有すると共に、メンテナンス計算機には、メンテナンス用設備ＤＢの各件名を管理する件名管理機能部４１と、メンテナンス用設備データの変更を行う設備データ変更機能部４２と、設備ＤＢ展開機能部４３と、各計算機のオンライン用設備ＤＢの切替機能部４４を設ける。【選択図】　　図１
2004129401.tif 000002
【特許請求の範囲】
【請求項１】
複数の計算機により構成される電力系統分散計算機システムであって、それぞれに設備データを記憶したオンライン用設備データベースを備えた少なくとも２台の主計算機と、前記主計算機のオンライン用設備データベースをメンテナンスするためのメンテナンス用設備データベースを備えたメンテナンス計算機と、オンライン用設備データベースを備え、且つ、前記メンテナンス計算機により作成されたオンライン用設備データベースに切替え、オンライン用設備データベースの模擬試験を行う試験計算機とを備えた電力系統分散監視制御システムにおいて、
前記メンテナンス用設備データベースには、現在運用中のマスターデータとメンテナンスの単位である各件名間での変更分の差分データに分けて保有すると共に、前記メンテナンス計算機には、前記メンテナンス用設備データベースの各件名を管理する件名管理機能部と、メンテナンス用設備データの変更を行う設備データ変更機能部と、メンテナンス用の設備データをオンライン用に展開する設備データベース展開機能部と、各計算機のオンライン用設備データベースを切替える設備データベース切替機能部とを設けたことを特徴とする電力系統分散監視制御装置。
【請求項２】
請求項１において、件名状態テーブルを設け、当該件名状態テーブルには、前記各件名のメンテナンス用設備データベースの過渡状態と、前記メンテナンス用設備データベースを前記２台の主計算機のオンライン設備データベースに更新する運用切替日を前記件名毎に記憶することを特徴とする電力系統分散監視制御装置。
【請求項３】
請求項２において、前記件名管理機能部は、入力された指定件名が前記件名状態テーブルに有り、且つ、運用中で無い場合は、前記入力された指定件名の運用切替日をキーとして前記メンテナンス設備データベースから当該データを抽出し、変更前設備データを作成し、変更前設備データを変更後設備データにコピーし、一方、前記設備データ変更機能部は、入力された指示に従い、前記変更後設備データを変更又は修正し、続いて、前記件名管理機能部は、前記変更前設備データと前記変更後設備データを比較してその差分を前記メンテナンス設備データベースの差分データに書き込み、前記件名状態テーブルの前記入力された指定件名を作成中にし、前記入力された指定件名より運用切替日が後の件名が前記件名状態テーブルにあった場合は、その件名を作成中に戻すことを特徴とする電力系統分散監視制御装置。
【発明の詳細な説明】
【０００１】
【発明の属する技術分野】
本発明は、例えば電力系統監視制御システム等、複数の分散化された計算機により構成される電力系統分散監視制御装置に係り、特に、電力系統設備データのメンテナンス件名管理の技術に関する。
【０００２】
【従来の技術】
一般的に、電力系統を構成する設備には発電機、送電線、変圧器、開閉器等が含まれており、電力系統を監視・制御する電力系統監視制御システムでは、これらの構成設備に関するデータが種類別にレコードを構成しており、さらに、これらレコードがまとまっていわゆる設備データベースを形成している。
これら電力系統に追加・削除・変更（例えば、送電線の追加、変電所の増設、容量の変更等）があった場合は、設備データベースをメンテナンスしている間、オンライン業務に影響を与えないように、オンライン業務で使用するオンライン用設備データベースとは別に、オフラインで変更できるメンテナンス用設備データベースを持ち、さらに、オフラインで設備データベースを変更した後に、一括して上記変更したメンテナンス用設備データベースをオンライン用設備データベースへ更新するようにしている（運用切替）。
また、メンテナンス用設備データベースは、オンライン運用切替単位に分けて複数持ち、運用切替日前にそれぞれ別々に作成及び確認試験ができるようにそれらを件名で管理している（件名管理）。各件名は、通常運用切替日の順（時系列順）に作成、確認試験及び運用切替している。
なお、電力系統設備は、年々拡大・複雑化しており、そのための電力系統監視制御システムも、高性能化、高信頼性化が望まれ、多重化、分散化のシステム構成が採用され、システムは複数の計算機から成り立っている。
従来、複数の計算機から構成される分散計算機システムとそのデータベース切替え方法としては、特開平１１−２４２６０７号公報等で開示されているものが知られている。つまり、オンライン業務を行う主計算機と、オンライン業務を模擬（シミュレーション）する試験計算機、メンテナンス用設備データベースをメンテナンスするメンテナンス計算機とから成る分散型の計算機システムにおいて、各計算機の持つ設備データベースの件名状態（運用中、試験中、作成中など）管理し、設備データベースのメンテナンス途中や試験途中、または、試験結果が異常である設備データベースを誤ってオンライン用設備データベースへ書き込んで更新したり、あるいは、試験後にオンライン用として確定した設備データベースを誤って変更したりすることがないように、ユーザの誤操作に対してインターロックをかける機能を持つものである。
【０００３】
【発明が解決しようとする課題】
しかしながら、上記従来技術では、メンテナンス計算機が持つ複数のメンテナンス用設備データベースの件名管理について検討がされていなかった。
一般的な設備データの件名管理方法によれば、各件名毎に全設備データを持つ方法があるが、件名数の増大、設備データの増大に伴い、膨大なメモリ容量を必要とする問題がある。
また、複数の件名が順次、時系列に並んでいる場合には問題無いが、運用切替日が入れ替わったりして件名の時系列順序に変更が生じ、最新件名以前の設備データに変更が必要となった場合には、それ以降、最新まで件名の設備データを各々変更しなければならず、設備データの変更に多大な時間がかかるという問題がある。
【０００４】
本発明の課題は、設備の追加や変更が頻繁に行われる電力系統分散監視制御システムにおいて、複数件名のメンテナンス設備データを時系列に依存せず作成可能で、且つ、少ないメモリ容量で効率良く件名管理することが可能な電力系統分散監視制御装置を提供することにある。
【０００５】
【課題を解決するための手段】
上記課題を解決するために、複数の計算機により構成される電力系統分散計算機システムであって、メンテナンス用設備データベースには、現在運用中のマスターデータとメンテナンスの単位である各件名間での変更分の差分データに分けて保有すると共に、メンテナンス計算機には、メンテナンス用設備データベースの各件名を管理する件名管理機能部と、メンテナンス用設備データの変更を行う設備データ変更機能部と、メンテナンス用の設備データをオンライン用に展開する設備データベース展開機能部と、各計算機のオンライン用設備データベースを切替える設備データベース切替機能部とを設ける。
【０００６】
【発明の実施の形態】
以下、本発明の実施形態について図面を参照して詳細に説明する。
図１は、本発明の一実施形態による電力系統分散監視制御装置の構成図であり、電力系統における監視制御をオンラインで実行する二重系の主計算機Ａ、Ｂと、オンライン業務を模擬（シミュレーション）する試験計算機Ｃ、設備データベース（以下、設備ＤＢと略す。）をメンテナンスするメンテナンス計算機Ｄとから成るシステム（電力系統監視制御用計算機システム）の例を示す。
図１において、主計算機Ａ、Ｂ及び試験計算機Ｃは、電力系統の電圧や電流の監視や発電機制御、開閉器の入／切操作指令等のオンライン業務で使用するオンライン用設備ＤＢ１０１、２０１、３０１と、メンテナンス計算機Ｄのオンライン用設備設備ＤＢ４０１で各計算機のオンライン用設備設備ＤＢ１０１、２０１、３０１を更新する設備ＤＢ切替機能部１１、２１、３１を持つ構成となる。
さらに、メンテナンス計算機Ｄは、オンライン用設備ＤＢ１０１、２０１、３０１更新用の展開エリアとして使用するオンライン用設備ＤＢ４０１と、設備データの変更・追加・削除といったメンテナンス業務で使用する現在運用中のマスターデータとメンテナンスの単位である各件名間での変更分の差分データに分けて保有するメンテナンス用設備設備ＤＢ４０２と、メンテナンス用設備データの変更及び変更部分の差分抽出に使用する変更前設備データ４０３、変更後設備データ４０４と、メンテナンス用設備ＤＢ４０２の各件名の状態と運用切替日を保有する件名情報テーブル４０５と、メンテナンス用設備ＤＢ４０２の各件名を件名管理テーブル４０５で管理する件名管理機能部４１と、メンテナンス用設備データの変更を行う設備データ変更機能部４２と、変更後設備データ４０４をオンライン用設備ＤＢ４０１に展開する設備ＤＢ展開機能部４３と、オンライン用設備ＤＢ４０１で各計算機のオンライン用設備ＤＢ１０１、２０１、３０１を更新する設備ＤＢ切替機能部４４と、各機能部４１、４２、４３、４４に対する指示データや変更データの入力及びその処理結果を出力するデータ入出力装置５１を持つ。
なお、このシステムの前提条件は以下の通りである。
（１）、主計算機ＡとＢとは二重系をなし、主計算機Ａ、Ｂには、既に設備ＤＢがオンライン用設備ＤＢ１０１、２０１に格納されており、オンライン用設備ＤＢ１０１、２０１は全く同一内容である。
（２）、主計算機Ａは、マスタ系としてオンライン業務を運用中、主計算機Ｂは、オフライン化しており、且つ主計算機Ａのスレーブ系をなしている。
（３）、試験計算機Ｃは、オンライン用設備ＤＢ３０１を使ってのオンライン業務の模擬試験、オンライン用ＤＢ自体の模擬試験を行う。
【０００７】
次に、メンテナンス計算機Ｄに設けられた件名情報テーブル４０５の構成の一例を図２に示す。
件名情報テーブル４０５は、各件名のメンテナンス用設備ＤＢ４０２の過渡状態（件名状態欄４０７）と、メンテナンス用設備ＤＢ４０２を主計算機Ａ、Ｂのオンライン設備ＤＢ１０１、２０１に更新する運用切替日欄４０８を件名番号欄４０６毎に記憶している。
なお、件名状態欄４０７は時間の経過と共に変化し、メンテナンス用設備ＤＢ４０２の来歴を管理するものであり、「作成中」「試験中」「試験済」「切替中」「運用中」として指定した。
【０００８】
ここで、上記の構成における一般的な設備データベース切替方法による手順と各ステップの件名状態を図３を用いて説明する。
ここでは、まず、設備ＤＢを全て再作成すると、時間がかかり効率が悪いので、オンライン用設備ＤＢと同じ値の初期値を持ったメンテナンス計算機Ｄのメンテナンス用設備ＤＢ４０２の指定件名の設備データを件名管理機能部４１で変更後、設備データ４０４に呼出し、設備データ変更機能部４２で変更し（Ｓ１１）、それを設備ＤＢ展開機能部４３でオンライン用設備ＤＢ４０１に展開する（Ｓ１２）≪この時の件名状態欄４０７＝「作成中」≫。
次に、メンテナンス計算機Ｄの設備ＤＢ切替機能部４４と試験計算機Ｃの設備ＤＢ切替機能部３１により、試験計算機Ｃのオンライン用設備ＤＢ３０１を変更したメンテナンス計算機Ｄのオンライン用設備ＤＢ４０１の値に一括更新し（Ｓ１３）、この更新されたオンライン用設備ＤＢ３０１を試験計算機Ｃで模擬試験する（Ｓ１４）≪この時の件名状態欄４０７＝「試験中」≫。
この試験計算機Ｃによる模擬試験によって更新されたオンライン用設備ＤＢ３０１に問題がないか否か判断し（Ｓ１５）、その結果、問題がある場合（すなわち、「Ｎｏ」の場合）は、再度、上記メンテナンス用設備ＤＢ４０２の変更のステップ（Ｓ１１）からやり直す。
一方、上記ステップ（Ｓ１５）での試験にて問題がない場合（すなわち、「Ｙｅｓ」の場合）≪この時の件名状態欄４０７＝「試験済」≫は、まず、運用中であった主計算機Ａをオフライン、且つ、待機系であった主計算機Ｂをオンラインとし（Ｓ１６）、メンテナンス計算機Ｄの設備ＤＢ切替機能部４４と主計算機Ａの設備ＤＢ切替機能部１１で、主計算機Ａのオンライン用設備ＤＢ１０１を変更したメンテナンス計算機Ｄのオンライン用設備ＤＢ４０１の値に一括更新する（Ｓ１７）。
次いで、主計算機Ｂをオフライン、且つ、主計算機Ａをオンラインにし（Ｓ１８）、メンテナンス計算機Ｄの設備ＤＢ切替機能部４４と主計算機Ｂの設備ＤＢ切替機能部２１により、主計算機Ｂのオンライン用設備ＤＢ２０１を変更したメンテナンス計算機Ｄのオンライン用設備ＤＢ４０１の値に一括更新する（Ｓ１９）≪この時の件名状態欄４０７＝「切替中」≫。
以上の手順により、設備ＤＢの更新及び切り替えが完了する≪この時の件名状態欄４０７＝「運用中」≫。
【０００９】
次に、本発明の特徴であるメンテナンス計算機Ｄにおける件名管理について説明する。
変更前設備データ４０３、変更後設備データ４０４は、図４に示すように、各設備データの種別（変圧器、遮断器、断路器など）と情報（位置、設備、設定）をレコード形式で持っている。
メンテナンス用設備ＤＢ４０２は、図１及び図５に示すように、各件名の設備ＤＢをリレーショナルデータベース管理システム（ＲＤＢＭＳ）上での一括管理とし、各設備データ毎にマスター部分（現用データ）と、差分データ（各件名での変更分のデータ）を持つ。差分データとは、マスターデータからの変更分であり、各件名でメンテナンスされ、変更、修正、作成されたデータである。すなわち、マスターデータと差分データの組み合わせにより、各件名に対応したデータベースとなる。
図５のメンテナンス用設備ＤＢ４０２は、レコード毎に作成日、削除日をもっており、件名番号欄４０６で各データが有効になるのは、件名の運用切替日欄４０８が作成日〜削除日の間に入っている場合である。この作成日、削除日を元に各件名番号欄４０６に対応したデータベースを抽出する。
各日付の定義を以下に示す。
（日付は、ＹＹＭＭＤＤ（ＹＹ：年、ＭＭ：月、ＤＤ：日）であり、年は西暦年の下２桁を示す。）
・作成日：データを作成した件名の切替日
（いずれの件名でも有効な場合は、有効日の最小数＝００００００）
・削除日：データを削除した件名の切替日
（いずれの件名でも有効な場合は、有効日の最大数＝９９９９９９）
各件名番号欄４０６のデータは、この作成日、削除日を元に次の不等式により、各テーブルから抽出する。
不等式：作成日≦運用切替日＜削除日
ここで、〇印は当該件名で抽出されるデータを、×印は当該件名で抽出されないデータを示す。
【００１０】
上記の構成におけるメンテナンス設備ＤＢ４０２の変更方法を図６を用いて説明する。
件名管理機能部４１は、データ入出力装置５１から入力された件名番号が件名状態テーブル４０５の件名番号欄４０６に既に有るか判断し（Ｓ２１）、件名番号が無い場合（すなわち、「Ｎｏ」の場合）は、データ入出力装置５１から入力された運用切替日に最も近い過去の運用切替日をキーとしてメンテナンス設備ＤＢ４０２から当該データを抽出し、変更前設備データ４０３を作成し（Ｓ２２）、変更前設備データを変更後設備データ４０４にコピーする（Ｓ２７）。件名番号が既に有る場合（すなわち、「Ｙｅｓ」の場合）は、件名状態テーブル４０５に記憶している件名状態欄４０７が運用中か判断し（Ｓ２３）、運用中の場合（すなわち、「Ｙｅｓ」の場合）は、データ入出力装置５１にエラーの旨を表示して終了する（Ｓ２４）。件名状態欄４０７が運用中以外の場合（すなわち、「Ｎｏ」の場合）は、入力された件名番号の運用切替日をキーとしてメンテナンス設備ＤＢ４０２から当該データを抽出し、変更前設備データ４０３を作成し（Ｓ２５）、変更前設備データを変更後設備データ４０４にコピーする（Ｓ２７）。
設備データ変更機能部４２は、データ入出力装置５１から入力された指示に従い、変更後設備データ４０４を変更又は修正する（Ｓ２８）。
件名管理機能部４１は、データ入出力装置５１からの終了指示に従い、変更前設備データ４０３と変更後設備データ４０４を比較してその差分をメンテナンス設備ＤＢ４０２の差分データに書き込み（Ｓ２９）、件名状態テーブル４０５の件名番号の件名状態欄４０７を作成中にし（Ｓ３０）、指定件名より運用切替日が後の件名番号が件名状態テーブル４０５にあった（最新件名以前の設備データに変更が生じた）場合は、その件名番号の件名状態欄４０７を作成中に戻す（Ｓ３１）。
【００１１】
図７〜図１８を用いて、図５のメンテナンス設備ＤＢ４０２の各件名の系統図例を説明する。なお、この例は、現在運用中の件名番号＝１に対して、件名番号＝２、３、４、５の順に線路（断路器ＬＳ２台と遮断器ＣＢ１台の組合せ）の変更、追加、削除を行ったものである。但し、件名番号＝５の運用開始日（２００２／０４／１５）は、件名番号＝４の運用開始日（２００２／０５／０６）以前とし、時系列に変更を生じさせている。
【００１２】
図７は、現在運用中の件名番号＝１（運用切替日＝２００２／０２／０４）の系統図例であり、図８は、そのメンテナンス用設備ＤＢ４０２を示す。メンテナンス用設備ＤＢ４０２の各レコードの断路器ＬＳ１１、ＬＳ１２〜ＬＳ５１、ＬＳ５２、遮断器ＣＢ１〜ＣＢ５、変圧器ＴＲ１は、全て前記の不等式（作成日≦運用切替日＜削除日）を満たしているので、全て有効となる。また、現在運用中のレコードは全てマスターデータとして扱われる。
【００１３】
図９は、図７（件名番号＝１：運用中）のＣＢ４をＣＢ４’に変更した件名番号＝２（切替中：運用切替日＝２００２／０３／０４）の系統図例であり、図１０は、そのメンテナンス用設備ＤＢ４０２を示す。メンテナンス用設備ＤＢ４０２の変更前のマスターデータＣＢ４は、削除日が運用切替日と同じ為、無効になり、変更後の差分データＣＢ４’は、作成日が運用切替日と同じ為、有効になる。
【００１４】
図１１は、図９（件名番号＝２：切替中）にＬＳ６１、ＣＢ６、ＬＳ６２を追加した件名番号＝３（試験済：運用切替日＝２００２／０４／０８）の系統図例であり、図１２は、そのメンテナンス用設備ＤＢ４０２を示す。メンテナンス用設備ＤＢ４０２に追加した差分データＬＳ６１、ＣＢ６、ＬＳ６２は、作成日が運用切替日と同じ為、有効になる。
【００１５】
図１３は、図１１（件名番号＝３：試験済）からＬＳ５１、ＣＢ５、ＬＳ５２を削除した件名番号＝４（試験中：運用切替日＝２００２／０５／０６）の系統図例であり、図１４は、そのメンテナンス用設備ＤＢ４０２を示す。メンテナンス用設備ＤＢ４０２から削除したマスターデータＬＳ５１、ＣＢ５、ＬＳ５２は、削除日が運用切替日と同じ為、無効になる。
【００１６】
図１５は、時系列に変更を生じさせ、図１１（件名番号＝３：試験済）にＬＳ７１、ＣＢ７、ＬＳ７２を追加した件名番号＝５（試験中：運用切替日＝２００２／０４／１５）の系統図例であり、図１６は、そのメンテナンス用設備ＤＢ４０２を示す。メンテナンス用設備ＤＢ４０２に追加した差分データＬＳ７１、ＣＢ７、ＬＳ７２は、作成日が運用切替日と同じ為、有効になる。
なお、この時、最新件名（件名番号＝４：運用切替日＝２００２／０５／０６）以前の設備データに変更が生じた為、運用切替日が件名番号＝５（運用切替日＝２００２／０４／１５）より後の件名番号＝４（試験中：運用切替日＝２００２／０５／０６）の件名状態は作成中に戻る。
【００１７】
図１７は、図１５の件名番号＝５（運用切替日＝２００２／０４／１５）で最新件名（件名番号＝４：運用切替日＝２００２／０５／０６）以前の設備データに変更が生じた場合に、最新件名（件名番号＝４：作成中：運用切替日＝２００２／０５／０６）を表示した系統図例であり、図１８は、そのメンテナンス用設備ＤＢ４０２を示す。
ここでは、図１３の件名番号＝４（試験中）の系統図例と異なり、件名番号＝５（運用切替日＝２００２／０４／１５）でメンテナンス用設備ＤＢ４０２に追加した差分データＬＳ７１、ＣＢ７、ＬＳ７２は、作成日が運用切替日より前の為、有効になる。これにより、最新件名以前の設備データに変更が生じた場合でも、特別な処理をしなくとも、それ以降から最新まで件名の設備データに変更内容が反映されることがわかる。
【００１８】
次に、図１９〜図２２を用いて、図５のメンテナンス設備ＤＢ４０２のマスターデータと差分データの推移例を説明する。なお、メンテナンス用設備ＤＢ４０２のマスターデータと差分データが変更になるタイミングは、各件名の件名状態４０８が運用中になった時で、その時の処理は以下の通りである。
（１）作成日≦運用切替日の差分データをマスターデータとする。
なお、作成日＝００００００とする。
（２）削除日≦運用切替日のマスターデータを削除する。
図１９は、図５の件名番号＝２（運用切替日＝２００２／０３／０４）が運用中になった時のメンテナンス用設備ＤＢ４０２を示す。メンテナンス用設備ＤＢ４０２のマスターデータＣＢ４（削除日＝２００２／０３／０４）は削除され、差分データＣＢ４’（作成日＝２００２／０３／０４）がマスターデータになる。
図２０は、図１９の件名番号＝３（運用切替日＝２００２／０４／０８）が運用中になった時のメンテナンス用設備ＤＢ４０２を示す。メンテナンス用設備ＤＢ４０２の差分データＬＳ６１、ＣＢ６、ＬＳ６２（作成日＝２００２／０４／０８）がマスターデータになる。
図２１は、図２０の件名番号＝５（運用切替日＝２００２／０４／１５）が運用中になった時のメンテナンス用設備ＤＢ４０２を示す。メンテナンス用設備ＤＢ４０２の差分データＬＳ７１、ＣＢ７、ＬＳ７２（作成日＝２００２／０４／１５）がマスターデータになる。
図２２は、図２１の件名番号＝４（運用切替日＝２００２／０５／０６）が運用中になった時のメンテナンス用設備ＤＢ４０２を示す。メンテナンス用設備ＤＢ４０２のマスターデータＬＳ５１、ＣＢ５、ＬＳ５２（削除日＝２００２／０５／０６）が削除される。
【００１９】
【発明の効果】
以上説明したように、本発明によれば、設備の追加や変更が頻繁に行われる電力系統分散監視制御システムの電力系統設備データのメンテナンスにおいて、複数件名のメンテナンス設備データを時系列に依存せず、作成可能であり、また、最新件名以前の設備データに変更が生じた場合でも、特別な処理をしなくとも、それ以降から最新まで件名の設備データに変更内容が反映され、且つ、少ないメモリ容量で効率良く件名管理することが可能になる。
【図面の簡単な説明】
【図１】本発明の一実施形態による電力系統分散監視制御装置の構成図
【図２】本発明のメンテナンス計算機が持つ件名情報テーブル４０５の構成の一例
【図３】一般的な設備データベース切替方法による手順を説明するフローチャート図
【図４】本発明の変更前設備データ４０３、変更後設備データ４０４の構成の一例
【図５】本発明のメンテナンス用設備データベース４０２の構成と各件名のデータ抽出方法の一例（件名番号＝１が運用中の場合）
【図６】本発明のメンテナンス設備データベースの変更方法を説明するフローチャート図
【図７】本発明の件名番号＝１（運用中：運用切替日＝２００２／０２／０４）の系統図例
【図８】本発明の件名番号＝１のメンテナンス用設備ＤＢ４０２の構成
【図９】本発明の件名番号＝２（作成中：運用切替日＝２００２／０３／０４）の系統図例
【図１０】本発明の件名番号＝２のメンテナンス用設備ＤＢ４０２の構成
【図１１】本発明の件名番号＝３（作成中：運用切替日＝２００２／０４／０８）の系統図例
【図１２】本発明の件名番号＝３のメンテナンス用設備ＤＢ４０２の構成
【図１３】本発明の件名番号＝４（作成中：運用切替日＝２００２／０５／０６）の系統図例
【図１４】本発明の件名番号＝４のメンテナンス用設備ＤＢ４０２の構成
【図１５】本発明の件名番号＝５（作成中：運用切替日＝２００２／０４／１５）の系統図例
【図１６】本発明の件名番号＝５のメンテナンス用設備ＤＢ４０２の構成
【図１７】本発明の最新件名（件名番号＝４：運用切替日＝２００２／０５／０６）以前の設備データに変更が生じた後に、最新件名を表示した場合の系統図例
【図１８】本発明の最新件名（件名番号＝４：運用切替日＝２００２／０５／０６）以前の設備データに変更が生じた後の最新件名のメンテナンス用設備ＤＢ４０２の構成
【図１９】本発明の件名番号＝２が運用中になった時のメンテナンス用設備ＤＢ４０２の構成
【図２０】本発明の件名番号＝３が運用中になった時のメンテナンス用設備ＤＢ４０２の構成
【図２１】本発明の件名番号＝５が運用中になった時のメンテナンス用設備ＤＢ４０２の構成
【図２２】本発明の件名番号＝４が運用中になった時のメンテナンス用設備ＤＢ４０２の構成
【符号の説明】
Ａ、Ｂ…主計算機，Ｃ…試験計算機，Ｄ…メンテナンス計算機，１１、２１、３１…設備ＤＢ切替機能部，４１…件名管理機能部，４２…設備データ変更機能部，４３…設備ＤＢ展開機能部，４４…設備ＤＢ切替機能部，５１…データ入出力装置，１０１、２０１、３０１、４０１…オンライン用設備ＤＢ，４０２…メンテナンス用設備ＤＢ，４０３…変更前設備データ，４０４…変更後設備データ，４０５…件名情報テーブル，４０６…件名番号欄，４０７…件名状態欄，４０８…運用切替日欄
【図１】
2004129401.tif 000003
【図２】
2004129401.tif 000004
【図３】
2004129401.tif 000005
【図４】
2004129401.tif 000006
【図５】
2004129401.tif 000007
【図６】
2004129401.tif 000008
【図７】
2004129401.tif 000009
【図８】
2004129401.tif 000010
【図９】
2004129401.tif 000011
【図１０】
2004129401.tif 000012
【図１１】
2004129401.tif 000013
【図１２】
2004129401.tif 000014
【図１３】
2004129401.tif 000015
【図１４】
2004129401.tif 000016
【図１５】
2004129401.tif 000017
【図１６】
2004129401.tif 000018
【図１７】
2004129401.tif 000019
【図１８】
2004129401.tif 000020
【図１９】
2004129401.tif 000021
【図２０】
2004129401.tif 000022
【図２１】
2004129401.tif 000023
【図２２】
2004129401.tif 000024